(57)【要約】【課題】センサライトによる照明範囲を制限し、使用者が必要とする範囲内を照明する。【解決手段】ランプ１２の光によって一定の範囲に向けて照射して前記一定の範囲を照明する照明部３と、この照明部３が上部に首振り可能に支持され設置場所に取り付けられる本体部２と、この本体部２の下部に設けられ検知エリア内への侵入物の侵入を検知する検知センサ部４とを備える。照明部３にランプ１２からの光の照射方向を規制するフード部材１１を取り付ける。このフード部材は、上側部分が略半円筒状に形成され、、側面視で、それの上側部分の上縁１１ａが角度θ１（例えば１０°程度）だけ前下がりに傾斜し、また、側面視で前記上側部分の前縁１１ｂと、照明部３の前縁３ａ（フード部材１１の基部１１Ａ）とがなすフード遮光角度θ２が４６°〜７０°の範囲となるように形成されている。【選択図】  図４
2009152155.tif 000002
【特許請求の範囲】
【請求項１】
光源を有し前記光源の光を一定の範囲に向けて照射して前記一定の範囲を照明する照明部と、この照明部が上部に首振り可能に支持され設置場所に取り付けられる本体部と、この本体部あるいは本体部の下部に設けられ予め定められた検知エリア内への侵入物の侵入を検知する検知センサ部とを備え、前記検知センサ部による侵入物の侵入の検知により前記光源を点灯又は点滅するセンサライトであって、
前記照明部に取り付けられ前記光の照射方向を規制するフード部を備え、
前記フード部は、上側部分が略半円筒状に形成され、側面視で前記上側部分の前縁と、前記照明部の前縁とがなすフード遮光角度が４６°〜７０°の範囲となるように形成されていることを特徴とするセンサライト。
【請求項２】
前記フード部は、側面視で前記上側部分の上縁が前下がりに傾斜していることを特徴とする請求項１に記載のセンサライト。
【請求項３】
前記フード部は、前記照明部の首振り可能な角度範囲において、前記フード部の上側部分の前縁が側面視で略水平方向に延びる状態になる角度を有することを特徴とする請求項１または２に記載のセンサライト。
【請求項４】
前記照明部は、前記光源を収納する照明本体部と、前記光源からの光が透過する透光部を有し前記照明本体部を保護する保護キャップ部とを備え、前記照明本体部に対し前記保護キャップ部が着脱可能に取り付けられるものであり、
前記フード部は、前記照明部に取り付けられるフード基部と、前記フード基部に連接され前記照明部より突出して延びるフード本体部とを有することを特徴とする請求項１〜３のいずれかに記載のセンサライト。
【請求項５】
前記フード部は、前記照明本体部と保護キャップ部との間に前記フード基部が挟持されることで前記照明部に取り付けられ、前記保護キャップ部が前記フード基部付近を覆っていることを特徴とする請求項４に記載のセンサライト。
【請求項６】
前記照明部と前記フード部材との間に設けられ前記照明部に対する前記フード部材の位置決めをする位置決め手段とを備え、
前記位置決め手段は、前記照明部の照明本体部または保護キャップ部の少なくとも一方に形成される係合部と、前記フード部材の基部に形成され前記係合部に係脱可能に係合する被係合部とで構成されることを特徴とする請求項４または５に記載のセンサライト。
【発明の詳細な説明】
【技術分野】
【０００１】
本発明は、侵入物の検知により光源を点灯又は点滅（フラッシング）する、主として防犯用に使用されるセンサライトに関するものである。
【背景技術】
【０００２】
一般に、センサライトは、光源を有し前記光源の光を一定の範囲に向けて照射して前記一定の範囲を照明する照明部と、検知エリア内への侵入物の侵入を検知する検知センサ部とを備え、前記検知センサ部による侵入物の検知により前記光源を点灯又は点滅する、主として防犯用に使用されるものである。そして、そのようなセンサライトにおいて、前記照明部による照射方向を変更あるいは調整できるように構成されたものも知られている（例えば、特許文献１参照）。
【特許文献１】特開平１０−１４４１３４号公報（段落０００９〜００１１および図１）
【発明の開示】
【発明が解決しようとする課題】
【０００３】
そのようなセンサライトは、住宅街の戸建て住宅の玄関先、カーポートなどに設置され、検知センサ部による侵入物の検知により光源を点灯又は点滅する構成となっているので、センサライトの光源が点灯又は点滅した場合に、左右両隣や向かいの住居まで照明し、迷惑をかけるおそれがあり、いわゆる光害の問題を生ずる。
【０００４】
一方、光量の少ない光源を使用すると、照明範囲を住居内に制限することは可能であるが、必要な照度が得られず、照明範囲が非常に暗くなり、十分な照明効果が得られない。
【０００５】
この発明は、センサライトによる照明範囲を制限し、使用者が必要とする範囲内のみを照明できるセンサライトを提供することを目的とする。
【課題を解決するための手段】
【０００６】
請求項１の発明は、光源を有し前記光源の光を一定の範囲に向けて照射して前記一定の範囲を照明する照明部と、この照明部が上部に首振り可能に支持され設置場所に取り付けられる本体部と、この本体部あるいは本体部の下部に設けられ予め定められた検知エリア内への侵入物の侵入を検知する検知センサ部とを備え、前記検知センサ部による侵入物の侵入の検知により前記光源を点灯又は点滅するセンサライトであって、前記照明部に取り付けられ前記光の照射方向を規制するフード部を備え、前記フード部は、上側部分が略半円筒状に形成され、側面視で前記上側部分の前縁と、前記照明部の前縁とがなすフード遮光角度が４６°〜７０°の範囲となるように形成されていることを特徴とする。ここで、「照明部に設けられ・・・フード部」とは、照明部に対し着脱可能あるいは取り外し可能に設けられる場合、固定される場合（フード部を照明部にねじなどを用いて固定する場合や耐熱性接着剤を用いて固定する場合）、照明部のケーシングなどに対し一体成形により設けられる場合が含まれる。
【０００７】
このようにすれば、前記フード部は、上側部分が略半円筒状に形成され、側面視で前記上側部分の前縁と、前記照明部の前縁とがなすフード遮光角度が４６°〜７０°の範囲となるように形成されているので、光源からの光の照射方向をフード部によって規制して照明範囲を制限し、使用者が必要とする照明範囲については十分な照明効果を得ることができる。よって、前記フード遮光角度が４６°〜７０°の範囲であるフード部を設けるという簡単な構成でもって、左右両隣や向かいの住居にまで照明するという光害を回避することができる。
【０００８】
特に、前記フード部は、上側部分が略半円筒状に形成され、側面視で前記上側部分の前縁と、前記照明部の前縁とがなすフード遮光角度が４６°〜７０°の範囲となるように形成されているので、下方について比較的広い照明範囲を確保して、検知エリア外を通過する第三者の目線で照明部からの光が第三者の目に入りにくくすることができる（図６および表１参照）。
【０００９】
また、検知センサ部を取り付ける本体部とは別の照明部にフード部を取り付けるので、検知センサ部の検知機能を損なうおそれもない。
【００１０】
請求項２に記載のように、前記フード部は、側面視で前記上側部分の上縁が前下がりに傾斜していることが望ましい。
【００１１】
このようにすれば、前記フード部は、側面視で前記上側部分の上縁が前下がりに傾斜しているので、照明部を本体部に対し少し傾けるだけで、フード部による、照射方向の規制効果が効果的に発揮される。
【００１２】
請求項３に記載のように、前記フード部は、前記照明部の首振り可能な角度範囲において、前記フード部の上側部分の前縁が側面視で略水平方向に延びる状態になる角度を有する構成とすることができる。
【００１３】
このようにすれば、前記フード部の上側部分の前縁が側面視で略水平方向に延びる状態で、検知エリア外を通過する第三者の目線で照明部からの光が第三者の目にほとんど入らないように簡単に設定することができる。よって、この状態を基準にして照明範囲を微調整できる。
【００１４】
請求項４に記載のように、前記照明部は、前記光源を収納する照明本体部と、前記光源からの光が透過する透光部を有し前記照明本体部を保護する保護キャップ部とを備え、前記照明本体部に対し前記保護キャップ部が着脱可能に取り付けられるものであり、前記フード部は、前記照明部に取り付けられるフード基部と、前記フード基部に連接され前記照明部より突出して延びるフード本体部とを有する構成とすることができる。
【００１５】
このようにすれば、フード部のフード基部を照明部に取り付けるだけで、フード本体部によって光源からの光の照射方向を規制して照明範囲を制限することができる。フード基部を照明部に取り付けるので、前記本体部の設置場所への取付方法に影響を与えるおそれがない。
【００１６】
請求項５に記載のように、前記フードは、前記照明本体部と保護キャップ部との間に前記フード基部が挟持されることで前記照明部に取り付けられ、前記保護キャップ部が前記フード基部付近を覆っている構成とすることができる。
【００１７】
このようにすれば、フード基部を、照明本体部と保護キャップ部との間に挟持することで、フード部を照明部に対し安定性よく取り付けることができる。また、保護キャップ部が前記フード基部付近を覆っているので、外観を損なうこともない。
【００１８】
請求項６に記載のように、前記照明部と前記フード部材との間に設けられ前記照明部に対する前記フード部材の位置決めをする位置決め手段とを備え、前記位置決め手段は、前記照明部の照明本体部または保護キャップ部の少なくとも一方に形成される係合部と、前記フード部材の基部に形成され前記係合部に係脱可能に係合する被係合部とで構成されることが望ましい。
【００１９】
このようにすれば、照明部の照明本体部または保護キャップ部の少なくとも一方に形成される係合部と、前記フード部材の基部に形成される被係合部とを係脱可能に係合することで、フード本体部によって光源からの光の照射方向を規制して、左右両隣や向かいの住居への照明が回避されるように取り付けることができる。しかもそのような係合部、被係合部であれば、前記本体部の設置場所への取付方法に影響を与えるおそれもない。
【発明の効果】
【００２０】
本発明は、上記のように、フード部の上側部分を略半円筒状に形成し、そのフード部を、側面視で前記上側部分の前縁と、前記照明部の前縁とがなすフード遮光角度がなすフード遮光角度が４６°〜７０°の範囲となるように形成しているので、光源からの光の照射方向をフード部によって規制して照明範囲を制限し、使用者が必要とする照明範囲については十分な照明効果を得ることができる。
【発明を実施するための最良の形態】
【００２１】
以下、本発明の実施の形態を図面に沿って説明する。
【００２２】
図１はそれぞれ本発明に係るセンサライトの一実施の形態を示す斜視図、図２（ａ）（ｂ）は同側面図および底面図、図３（ａ）（ｂ）（ｃ）はそれぞれフード部材を取り外した状態の側面図、正面図および平面図である。
【００２３】
図１および図２（ａ）（ｂ）に示すように、センサライト１は、基本構造は従来のものと同様で、設置場所に取付固定される本体部２と、この本体部２の上部に左右方向及び上下方向に首振り可能に取り付けられた照明部３と、この本体部２の下端部に左右方向及び上下方向に回転可能に取り付けられる検知センサ部４とにより構成され、主として防犯用に使用されるものである。よって、以下の実施の形態の説明においては、照明部３に着脱可能に取り付けられる、本発明の特徴点であるフード部材１１及びこのフード部材１１と照明部３との関係について説明し、本体部２及び検知センサ部４についての詳細な説明は省略する。
【００２４】
センサライト１の照明部３は、光源としてのランプ１２や反射板１３を収納する照明本体部３Ａ（図５参照）と、照明本体部３Ａの前側に取り付けられランプ１２や反射板１３を保護する保護キャップ部３Ｂとを備える。そして、照明部３は、首振り可能な角度範囲が、左方向および右方向それぞれ６０°ずつで左右方向に１２０°の範囲で、上方向１０°、下方向５０°で上下方向に６０°の範囲とされ、検知センサ部４による侵入物の侵入の検知によりランプ１２を点灯又は点滅するものである。
【００２５】
また、照明部３には、前記ランプの光の一部の照射方向を規制するフード部を構成するフード部材１１が着脱可能に取り付けられるようになっている。よって、センサライト１を設置する場所に応じて、フード部材１１を照明部３に取り付けた状態で使用するか（図２（ａ）（ｂ）参照）、フード部材１１を照明部３から取り外した状態で使用するか（図３（ａ）〜（ｃ）参照）を選択して使用することができる。
【００２６】
一方、フード部材１１は、図４（ａ）〜（ｄ）に示すように、上側部分が略半円筒状に形成されるフード基部１１Ａと、そのフード基部１１Ａの前側に連接される断面半円弧状のフード本体部１１Ｂとを有する。フード本体部１１Ｂの内面は、表面処理を施さないそのままの面とするほか、前記ランプからの光を反射する反射率が高くなるように表面処理を施すことも可能である。
【００２７】
また、フード部材１１は、側面視で、それの上側部分の上縁１１ａが角度θ１（例えば１０°程度）だけ前下がりに傾斜し、また、側面視で前記上側部分の前縁１１ｂと、照明部３の前縁３ａ（フード部材１１の基部１１Ａ）とがなすフード遮光角度θ２が４６°〜７０°の範囲となるように形成されている。よって、フード部材１１は、照明部３の首振り可能な角度範囲のいずれかの角度において、フード部材１１の上側部分の前縁１１ｂが側面視で略水平方向に延びる状態にすることができる。よって、照明部３の首振り角度を、フード部材１１の上側部分の前縁１１ｂが側面視で略水平方向に延びる状態にある角度にすれば、後述するように、検知エリア外を通過する第三者の目線で照明部からの光が第三者の目に入りにくくすることができるので、この状態を基準として、使用者が照明範囲を微調整をすることで、光害を回避する照明範囲に簡単に調整することができる。なお、フード部材１１の上側部分の後縁１１ｃは、前縁１１ｂを基部１１Ａに接続するために、フード遮光角度θ２よりも大きい角度θ３で傾斜している。
【００２８】
照明部３のランプ１２（光源）としては、通常、ハロゲンランプが用いられ、そのランプ１２の発熱により、フード部材１１の温度は１００℃〜２２０℃程度まで上昇するので、この温度に耐えれる耐熱材料をフード部材１１の材料として用いることが望ましい。また、センサライト１は、住宅街の戸建て住宅の玄関先、カーポートなどの屋外に設置されるので、耐候性のよい材料であることも望ましい。
【００２９】
フード部材１１を取り付ける場合には、図５に示すように、ランプ１２および反射板１３を備える照明本体部３Ａの先端筒状部に対し、防水パッキン１４、ランプ１２からの光あるいは反射板１３で反射された光が透過する透光部例えば耐熱ガラス１５、およびフード部材１１の基部１１Ａ、および保護キャップ部３Ｂの順に取り付けられる。このように、フード部材１１の基部１１Ａは、照明本体部３Ａと保護キャップ部３Ｂとの間に挟持されることで、取付固定される。
【００３０】
その取付状態で、フード本体部１１Ｂの先端部分は、保護キャップ部３Ｂの前端を超えてさらに前方に延びるが、このフード本体部１１Ｂの、照明部３の前端から突出量は、下方に設けられるが検知センサ部４による検知エリアを制限しないように設定されている。
【００３１】
保護キャップ部３Ｂは、照明本体部３Ａの先端筒状部に、嵌合あるいはねじ止めなどにより取り付けられる。この保護キャップ部３Ｂは、照明本体部３Ａを保護する機能も有する。
【００３２】
以上説明したようなセンサライト１を、例えば図６に示すように、取付高さＨでもって設置すれば、目線Ａをもってセンサライト１を見ても、照明部３が下方に傾いており、フード部材１１を設けていることから、ランプ１２や反射板１３が完全に見えず、光害を防止する上で有利となる。なお、目線Ａが前縁１１ｂと同じ高さであると見えないが、目線Ａより角度α程度下方の破線Ａ’よりも下方になると、ランプ１２からの光が見える。
【００３３】
つまり、フード部材１１を照明部３に対し使用しなければ、図７（ｂ）に示すように、左右両隣や向かいの住居まで照明が広がり、左右両隣や向かいの住居への光害の原因となるが、フード部材１１を使用することで、図７（ａ）に示すように、照明部３に対しフード部材１１（フード本体部１１Ｂ）を設けた側において、光の照射方向を規制し、照明範囲を制限することができる。よって、左右両隣や向かいの住居までランプ１２の光が照射されるエリアが広がるのを制限し、光害を回避することができる。
【００３４】
ところで、フード部材１１の地面に光が届く場所と遮光する場所との境界までの距離Ｌは、Ｌ（ｍ）＝取付高さＨ（ｍ）・ｔａｎ（１８０°ー（フード遮光角度θ２（°）＋首振り角度β（°））となり、次の表１のようになる。
【００３５】
ここで、(i)遮光距離（地面に光が届く境界）の数値が正の場合でのみ遮光がなされる。(ii)首振り角度βー（光源の照射角／２）≦０の場合、フード部材なしでは遮光することができない。
【００３６】
【表１】
2009152155.tif 000003
このように、フード遮光角度θ２の異なるフード部材１１と、照明部３の首振り角度βとを組み合わせることで、遮光距離の調整が可能となる。
【００３７】
その他の効果として、例えば、センサライトの取付高さＨを、２．５ｍとし、フード遮光角度θ２を４６°とし、首振り角度βを５０°とした場合（図６参照）、正面側１０ｍ先に位置する人の目の位置（高さ１．５ｍ）でまぶしくなくなる。従って、人の感覚的には、センサライト１の正面側１０ｍ先の通行人にまぶしさを感じさせず、迷惑とならない。
【００３８】
また、隣近所に対する光害を考慮する必要がない場合など、図８に示すように、フード部材１１を取り外した状態で使用する場合には、照明本体部３Ａの先端筒状部に、防水パッキン１４、耐熱ガラス１５、ダミーリング２１および保護キャップ部３Ｂの順に取り付けられる。このダミーリング２１は、図９（ａ）（ｂ）に示すように、フード部材１１の基部１１Ａに対応した形状を有する。このダミーリング２１によって、フード部材１１を取り外した場合に、照明本体部３Ａと保護キャップ部３Ｂとの間に形成される隙間が埋められる。
【００３９】
このようにして、ダミーリング２１は、照明本体部３Ａと保護キャップ部３Ｂとの間に挟持されることで、取付固定される。
【００４０】
また、フード部材１１の基部１１Ａやダミーリング２１には、係合凹部１１Ａａ，２１ａが形成される一方、保護キャップ部３Ｂには、図１０（ａ）（ｂ）に示すように、係合凹部１１Ａａ，２１ａに係脱可能に係合する係合凸部３Ｂａが形成されている。なお、係合凸部３Ｂａ（係合部）と係合凹部１１Ａａ（被係合部）とによって、照明部３に対するフード部材１１の位置決めをする位置決め手段が構成される。
【００４１】
これにより、フード部材１１を取り付ける場合には、係合凹部１１Ａａと係合凸部３Ｂａとの係合関係でフード部材１１を照明部３に取り付けることで、フード部材１１は所定の照射方向を規制するように、照明部３の上側に取り付けられることになる。つまり、照明部３に対しフード本体部１１Ｂが周方向において回転しない。また、ダミーリング２１は、フード部材１１の基部１１Ａに対応した形状で係合凹部２１ａが形成されているので、フード部材１１を取り外した状態で使用する場合には、ダミーリング２１が係合凹部２１ａと係合凸部３Ｂａとの係合関係で所定の位置関係に取り付けられる。
【００４２】
前記実施形態のほか、本発明は次のように変更して実施することも可能である。
【００４３】
(i)前記実施の形態では、照明部３は、ハロゲンランプなどの光源を使用しているが、ＬＥＤなどの光源を使用することも可能である。
【００４４】
(ii)前記実施の形態では、係合凸部３Ｂａと係合凹部１１Ａａとはそれぞれ１つずつ設けているだけであるが、例えば複数の係合凹部１１Ａａを等角度間隔で設けて、係合凸部３Ｂａと係合凹部１１Ａａとの係合関係を周方向に変化させることができるようにして、フード部材１１の、照明部３の周方向における取付位置を変更あるいは調整できるようにすることも可能である。
【００４５】
(iii)前記実施の形態では、照明部３が１つの１灯式のセンサライトについて説明したが、図１１に示すように、照明部３が２つの２灯式のセンサライト１’についても適用することができる。この場合には、前記(ii)のように、係合凸部３Ｂａと係合凹部１１Ａａとの係合関係を周方向において変化させることができるようにすれば、各照明部においてフード部材１１を取り付ける取付位置を調整あるいは変更することができる。
【００４６】
(iv)前記実施の形態では、フード部材１１の基部１１Ａを保護キャップ部３Ｂと耐熱ガラス１５との間に配置するようにしているが、防水パッキン１４と照明本体部３Ａとの間に配置することもでき、この場合には照明本体部３Ａに係合部（係合凸部）が形成される。
【００４７】
(v)フード本体部の少なくとも一部を、複数の開孔（例えば、円形状の孔や矩形状の孔）が形成されている構成（例えば、パンチングメタル）とすることで、照明範囲の光量を部分的に制限し、近隣住居への照明を低減することができる。つまり、複数の開孔を通過すると、光が減衰するので、開孔の数を変更することで、明るさを調整することができる。
【００４８】
(vi)前記実施の形態では、検知センサ部４は本体部の下部に設けているが、本体部の前面部に検知センサ部４が取り付けられるものにも同様に適用することができる。
【図面の簡単な説明】
【００４９】
【図１】本発明の一実施の形態に係るセンサライトの斜視図である。
【図２】（ａ）（ｂ）はそれぞれ同側面図および底面図である。
【図３】（ａ）〜（ｃ）はそれぞれフード部材を取り外した状態の側面図、正面図および平面図である。
【図４】（ａ）〜（ｄ）はそれぞれフード部材の斜視図、正面図、側面図および平面図である。
【図５】フード部材の取り付ける場合の説明図である。
【図６】遮光効果の説明図である。
【図７】（ａ）（ｂ）はそれぞれ遮光効果の説明図である。
【図８】フード部材に代えてダミーリングを取り付ける場合の説明図である。
【図９】（ａ）（ｂ）はそれぞれダミーリングの正面図および側面図である。
【図１０】（ａ）（ｂ）はそれぞれ保護キャップ部の背面図および側面図である。
【図１１】他の実施の形態についての図１と同様の図である。
【符号の説明】
【００５０】
１，１’    センサライト
２    本体部
３    照明部
３Ａ    照明本体部
３Ｂ    保護キャップ部
３Ｂａ    係合凸部
４    検知センサ部
１１    フード部材
１１Ａ    フード基部（基部）
１１Ａａ    係合凹部
１１Ｂ    フード本体部
1２    ランプ
２１    ダミーリング
２１ａ    係合凹部
【図１】
2009152155.tif 000004
【図２】
2009152155.tif 000005
【図３】
2009152155.tif 000006
【図４】
2009152155.tif 000007
【図５】
2009152155.tif 000008
【図６】
2009152155.tif 000009
【図７】
2009152155.tif 000010
【図８】
2009152155.tif 000011
【図９】
2009152155.tif 000012
【図１０】
2009152155.tif 000013
【図１１】
2009152155.tif 000014